(57)【特許請求の範囲】
【請求項１】
交流の電源電圧を受け取るガス放電ランプの端子間に接続されている制御可能なスイッチを設けるステップと、
前記スイッチの開閉を制御するステップであって、前記スイッチは、少なくとも、前記電源電圧の半周期内の第１の閉期間及び後続する第２の閉期間において閉じられており、前記第２の閉期間は前記第１の閉期間よりも長い、ステップと、
を有する前記ガス放電ランプを調光する方法。
【請求項２】
前記スイッチは、前記電源電圧の半周期内の複数の閉期間において閉じられており、前記第１の閉期間の後の各閉期間は、先行する閉期間よりも長い、請求項１に記載の方法。
【請求項３】
前記第１の閉期間は、前記電源電圧のゼロ交差後の前記ガス放電ランプの第１の再点火後の遅延期間後に、開始される、請求項１又は２に記載の方法。
【請求項４】
前記遅延期間は、前記電源電圧の前記半周期の少なくとも２０％である、請求項３に記載の方法。
【請求項５】
前記遅延期間が、少なくとも２ｍｓである、請求項３又は４に記載の方法。
【請求項６】
前記電源電圧の半周期内の前記閉期間の長さが、時間とともに減少される、請求項１乃至５の何れか一項に記載の方法。
【請求項７】
前記電源電圧の半周期内の前記閉期間の長さは、前記ランプの期待されている寿命にわたって減少される、請求項６に記載の方法。
【請求項８】
交流の電源電圧を受け取るガス放電ランプの端子間に接続されている制御可能なスイッチと、
前記スイッチの開閉を制御する前記スイッチに有効に接続されているスイッチング制御回路であって、少なくとも、前記電源電圧の半周期における第１の閉期間及び後続する第２の閉期間において前記スイッチを閉じるスイッチング制御回路において、前記第２の閉期間は前記第１の閉期間よりも長い、スイッチング制御回路と、
を有する前記ガス放電ランプのための調光制御回路。
【請求項９】
前記スイッチング制御回路は、前記電源電圧の半周期内の複数の閉期間において前記スイッチを閉じ、前記第１の閉期間後の各閉期間は、先行する閉期間よりも長い、請求項８に記載の調光制御回路。
【請求項１０】
前記スイッチングは、前記電流制御電圧の電圧ゼロ交差後の前記ガス放電ランプの第１の再点火後の遅延期間後に前記第１の閉期間を開始する、請求項８又は９に記載の調光制御回路。
【請求項１１】
各閉期間の長さは、前記閉期間の終わりにおける前記ガス放電ランプの再点火電圧が、前記電源電圧の電圧ゼロ交差後の前記ガス放電ランプの第１の再点火電圧を超えないように予め決定されている、請求項８乃至１０の何れか一項に記載の調光制御回路。
【請求項１２】
前記スイッチング制御回路は、経時的に前記電源電圧の半周期内の前記閉期間の長さを減少する、請求項８乃至１１の何れか一項に記載の調光制御回路。
【請求項１３】
調光レベルを示している調光制御信号を受け取る受信器を更に有する請求項８乃至１２の何れか一項に記載の調光制御回路であって、前記スイッチング制御回路は、前記調光レベルに従って前記スイッチを制御する、調光制御回路。
【請求項１４】
蛍光ランプの調光における請求項８乃至１３の何れか一項に記載の調光制御回路の使用。
【請求項１５】
請求項８乃至１３の何れか一項に記載の調光制御回路を有する制御モジュールであって、従来のグロースタータに対応する外部寸法を有している制御モジュール。
【発明の詳細な説明】
【技術分野】
【０００１】
本発明は、ガス放電ランプを調光する方法に関する。本発明は、更に、ガス放電ランプを調光する調光制御回路、前記調光制御回路の使用及び前記調光制御回路を有する制御モジュールに関する。本発明は、蛍光ランプの分野において及び他の種類のガス放電ランプの分野において実施化されることができる。
【背景技術】
【０００２】
特に、排他的にではないが、オフィス、公共の場所及び自宅における使用のための、蛍光ランプのような、ガス放電ランプの開発及び拡大により、非常に広範囲の据え付けられているベースが、存在している。過去において、このようなランプは、基本的に容量性及び誘導性要素と、ランプの点火を開始するグロースタータとを含んでいる簡単なバラストを備えている。始動スイッチを有する従来のグロースタータは、小さい、通常円筒形のボリューム内に組み込まれており、この小さい大きさの構成要素は、前記グロースタータが故障した場合に比較的簡単な交換が可能である位置において、照明器具内に設けられている。前記ランプは、グロースタータの始動スイッチを開くことによって始動する。次いで、前記ランプは、拡大された期間にわたって、所定の、最大出力レベルにおいて動作する。時間が経つにつれ、電気エネルギの光への変換をあまり効率的でないものにする前記ランプ内の電気化学的な工程のために、前記ランプの光出力は、ゆっくりと減少する。従って、前記蛍光ランプの初期光出力と比較された場合に、前記蛍光ランプの光出力が減少する長い期間の後になるであろう前記ランプの光出力に基づいて、所与の照明システムアプリケーションに必要な数のランプを決定するのが慣例である。従って、照明システム内の前記ランプの初期光出力は、実際に必要とされているものよりも高く、前記ランプの寿命のこの期間における前記ランプの調光が、依然として、前記所与の照明システムアプリケーションに必要な量の光を生成するのを可能にする。
【０００３】
近年、可能な限りエネルギを節約する必要性が生じている。蛍光ランプを有する従来の照明システムが、実際には、系統的に大きすぎる寸法にされており、上述で説明したように必要性よりも多くの光を供給していることを考慮すると、更に差し迫っている関心は、前記ランプを調光する、即ち前記ランプの光出力を減少させ、同時に、これに応じて前記ランプによる電気エネルギの消費を減少することができるようになることに及んでいる。しかしながら、蛍光ランプ及び従来のバラストを有している従来の照明システムは、前記ランプを調光するための機能を提供していない。従って、前記照明システムは、前記蛍光灯の調光を提供するように適応化される必要がある。
【０００４】
実際に、約２０％の調光は、平均して許容可能なものであり得るが、幾つかの場合において、３０％又は４０％までの調光、又は１０％よりも大きい調光も、可能である。調光の割合は、電気的エネルギを節約する割合に対応しており、世界の至る所において据え付けられている何百万もの発光性ランプを考慮したエネルギ節約の観点における巨大な可能性の見込みを与えるものである。
【０００５】
米国特許第４，６８２，０８３号は、既存の従来のバラストと並列に結合されるスイッチングモジュールを有する蛍光ランプ調光アダプタであって、前記スイッチングモジュールの伝導状態は、前記ランプ電流が変化されている期間において、３００Ｈｚ以上の範囲の周波数における切換えによって前記ランプの電流を変化させるように制御されている、蛍光ランプ調光アダプタを開示している。前記スイッチングモジュールの伝導性の切換えは、結果として、前記蛍光ランプを通るゼロ電流及び前記ランプにおけるゼロ電圧をもたらし、このような期間において、前記ランプは光を発しない。効果的には、前記ランプの調光は、前記スイッチングモジュールが伝導性である期間に比例して到達される。
【発明の概要】
【発明が解決しようとする課題】
【０００６】
発光性ランプを有する、既存の、据え付けられている従来の照明システムの調光される照明システムへの変更は、いずれの照明システムにおいても適応化を必要とする。米国特許第４，６８２，０８３号による調光アダプタは、従来のバラストに関連して使用されるように設計されている。既存の照明システムがこのような調光アダプタによって改造される場合、このことは、充分な空間が前記調光アダプタのために見つけられるのであれば、前記照明システムの様々な分解及び組立てを必要とする。いずれにしろ、比較的甚大な取付けの労力が、必要とされる。しかしながら、圧倒的な数の据え付けられている照明システムは、実際に、改造が、必要な仕事を実施するために前記照明システムを分解しなければならないということがなく、かつ、この後に再び前記照明システムを組み立てなければならないということがなく、容易で、急速に、低い費用において、実施されることができることを必要とする。更に、既存の照明システムの調光アダプタのような付加的な構成要素のために利用可能な空間は、非常に制限されることができ、又は実際に現れていない。
【０００７】
上述で議論した調光システムは、前記従来の調光システムにおいて、高いｄＶ／ｄｔ（電圧勾配値又は時間における電圧変化）を伴う電圧が生じるので、実質的なＥＭＩ（Electro Magnetic Interference）を生じ、ＥＭＣ（Electro Magnetic Compatibility）の要件を満たすために、重く、大きいＥＭＩフィルタが必要であり、このことは、小さいスペースの要件と衝突する。
【０００８】
低い費用における、ガス放電ランプ、詳細には蛍光ランプ、より詳細には、既存の照明システムの蛍光ランプの調光を提供することが望ましい。低いＥＭＩを伴う、ガス放電ランプ、詳細には蛍光ランプ、より詳細には既存の照明システムの蛍光ランプのための調光制御回路を提供することが更に望ましい。低いボリュームによって、ガス放電ランプ、詳細には蛍光ランプ、より詳細には既存の照明システムの蛍光ランプの調光モジュールを提供することが更に望ましい。
【課題を解決するための手段】
【０００９】
実施例において、本発明によるガス放電ランプを調光する方法は、交流の電源電圧を受け取る前記ランプの端子間に接続されるように構成される制御可能なスイッチを設けるステップと、前記スイッチの開閉を制御するステップであって、前記スイッチは、少なくとも、前記電源電圧の半周期内の第１の閉期間及び後続する第２の閉期間において閉じられており、前記第２の閉期間は、前記第１の閉期間より長い、ステップとを有する。メインの供給電圧の半周期内で高い再点火電圧に至る等しい長さの閉期間を開示している従来技術に反して、本発明は、第１の閉期間から後続する閉期間までの閉期間を増大させることを提案する。このようにして、前記第１の閉期間は、比較的短く保持されることができ、後続する（複数の）閉期間は、より長く保持されることができ、従って、生成される電圧の低いｄＶ／ｄｔを有することによって、生成される前記ＥＭＩを低減する。生成される前記ＥＭＩが比較的低く、多量のフィルタは必要ではないので、従って、この方法を実施する調光制御回路のボリュームを小さく保持する。
【００１０】
実施例において、前記スイッチは、前記電源電圧の半周期内の複数の閉期間において閉じられ、前記第１の閉期間の後の各閉期間は、前の閉期間よりも長く、優れた調光性能及び低いＥＭＩの両方を提供する。閉期間及びこれらの継続期間の数は、特定の量の調光が実現されるように、選択される。更に、これらの継続期間は、これらが人間の目に見えない光の変動を生成するように、選択される。
【００１１】
実施例において、前記第１の閉期間は、電源電圧の電圧ゼロ交差後の前記ランプの第１の再点火後の遅延期間後に、始まる。ガス放電ランプにおいて、前記電源電圧の電圧ゼロ交差後、電流が流れるのを可能にするプラズマが、安定したものになるために若干の時間を必要とする。遅延期間としてのこの時間を設けることで、本発明の方法における過剰なＥＭＩを防止し、当該方法を実施化する調光制御回路の安定な機能を提供する。実施例において、遅延期間は、電源電圧の半周期の少なくとも２０％である。更なる実施例において、前記遅延期間は、少なくとも２ｍｓ、例えば５０Ｈｚのメイン電源システムにおいて約５ｍｓである。
【００１２】
実施例において、前記電源電圧の半周期における閉期間の長さは、時間とともに減少される。この時間とは、時間から年までの単位においてカウントされ、前記ランプの期待される寿命であっても良い。ランプの調光を考慮に入れないと、前記ランプの光出力は、時間とともに減少する。使用の開始における前記ランプの光出力が第１の基準値として利用される場合、この期待される寿命の終わりにおける前記ランプの光出力は、第２の基準値として利用され、前記ランプの調光は、様々な仕方において時間とともに変化され得る。例として、自身の期待される寿命期間の終わりにおける前記ランプの調光は、前記ランプが前記第２の基準値に等しい光出力を有するような最小値のもの（無調光又は低い調光）であり得て、使用の初めにおける前記ランプの調光は、前記ランプが、前記第１の基準値に等しい光出力を有するのではなく前記第２の基準値に実質的に等しい光出力を有するような最大値（高い調光）であり得る一方で、前記ランプの寿命期間において、前記調光は、高い調光から低い調光まで減少され、この結果、前記ランプは、常に本質的に、同一の量の光を生成する。前記ランプの調光の量は、時間に対する（前記調光を考慮しない）前記ランプの光出力変化に従っても良い。前記光出力の変化は、前記ランプの動作時間にわたって本質的に線形に減少し得る、又は非線形に減少し得る。
【００１３】
実施例において、本発明は、本発明によるガス放電ランプのための調光方法を実施する調光制御回路を提供する。前記調光制御回路は、交流の電源電圧を受け取る前記ランプの端子間に接続されている制御可能なスイッチと、前記スイッチの開閉を制御するように前記スイッチに有効に（operatively）接続されているスイッチング制御回路であって、前記スイッチング制御回路は、少なくとも、前記電源電圧の半周期内の第１の閉期間と後続する第２の閉期間とにおいて前記スイッチを閉じ、前記第２の閉期間は、前記第１の閉期間よりも長い、スイッチング制御回路とを有する。前記制御可能スイッチは、トランジスタ（例えば、ＦＥＴ（電界効果トランジスタ））のような、半導体スイッチ素子であっても良い。半導体スイッチ素子のスイッチングは、自身のゲートにおける適切な信号を供給することによって制御されることができる。更なる実施例において、前記スイッチング制御回路は、前記電源電圧の半周期内の複数の閉期間において前記スイッチを閉じ、前記第１の閉期間の後の各閉期間は、前の閉期間よりも長い。前記スイッチング制御回路は、前記メモリ内に記憶されているコンピュータ命令を処理するためのメモリ及びプロセッサを有するプログラムされたコンピュータ又はコントローラを有していても良い。
【００１４】
実施例において、本発明は、前記電源電圧の電圧ゼロ交差後の前記ランプの第１の再点火後の遅延期間後に前記第１の閉期間を開始する調光制御回路を提供する。電圧ゼロ交差検知素子又は機能は、前記遅延期間をカウントするためにタイマーを活性化させるトリガ信号を供給する。前記遅延期間が経過した後、上述で説明したように、前記制御可能スイッチの前記第１の閉期間は、前記スイッチング制御回路によって開始される。
【００１５】
実施例において、本発明は、調光制御回路を提供し、各閉期間の長さは、前記閉期間の終わりにおける前記ランプの再点火電圧が、前記電源電圧の電圧ゼロ交差後の前記ランプの第１の再点火電圧を超えないように、予め決定される。各閉期間の長さは、前記調光制御回路又は前記スイッチング制御回路内にプログラムされていても良い。前記再点火電圧を低く保持することにより、動作中の前記調光制御回路によって生成されるＥＭＩは、低く保持される。
【００１６】
実施例において、本発明は、調光制御回路であって、前記スイッチング制御回路が、上述で説明したような、前記メイン電圧の多くの期間を有する、長い期間にわたる前記電源電圧の半周期における前記閉期間の長さを短くする、調光制御回路を提供する。
【００１７】
実施例において、本発明は、調光レベルを示す調光制御信号を受け取る受信器を更に有する調光制御回路であって、前記スイッチング制御回路は、前記調光レベルに従って前記スイッチを制御する、調光制御回路を提供する。前記調光制御回路は、自律的に（autonomous）動作するように設計されていても良く、更に、受信器によって受け取られた調光制御信号、例えば、前記受信器に結合されている受信アンテナにワイヤレスで送られるＲＦ（無線周波数）制御信号又はＩＲ（赤外線）制御信号に従って動作されても良い。前記調光制御信号は、前記調光制御回路に接続されているガス放電ランプの特定の調光レベルを設定するのに使用されても良く、又は前記調光制御回路に特定の調光機能を実施させる命令を供給することによって、前記調光制御回路又は前記スイッチング制御回路をプログラムするのに使用されても良い。
【００１８】
本発明の実施例において、調光制御回路は、蛍光ランプの調光において使用される。
【００１９】
実施例において、本発明は、調光制御回路を有する制御モジュールであって、従来のグロースタータに対応する外側寸法を有している制御モジュールを提供する。前記調光制御回路によって実施化される調光制御方法が、低いＥＭＩを生成するので、このようなＥＭＩを許容可能なレベルまで減少するための電気的なフィルタリングは、比較的小さい構成要素のみを必要とする。これらの小さい構成要素は、従来のグロースタータ（通常、自身の一方の端部に２つの端子を有する円筒形ハウジング）と同じ又はこれより小さい寸法を有し得る制御モジュールのハウジング内に組み込まれることができる。結果として、従来のグロースタータは、本発明による調光制御回路を有する前記制御モジュールに置き換えられることができる。
【図面の簡単な説明】
【００２０】
【図１】本発明による調光制御回路を有する照明回路を模式的に示している。
【図２】本発明による調光制御回路を有する更なる光回路を模式的に示している。
【図３】本発明による実施例において使用され得る遠隔制御回路を模式的に示している。
【図４】本発明による調光制御回路の実施例を模式的に示している。
【図５】本発明による調光制御方法又は調光制御回路の実施例によって生成されたランプ電圧及びランプ電流の図を表している。
【図６】本発明による調光制御方法又は調光制御回路の実施例によって生成されたランプ電圧、ランプ電流及び調光制御信号の図を表している。
【発明を実施するための形態】
【００２１】
本発明の更なるフィーチャ及び特徴は、添付図面に関連してなされる実施例の非限定的な例に関する以下の詳細な記載から、更に容易に認識されるであろう。
【００２２】
異なる図において、同一の符号は、同一の若しくは類似の構成要素、又は類似の機能を有する構成要素を示している。
【００２３】
図１は、４つの端子Ａ、Ｂ、Ｃ及びＤを持つ発光ランプ１１を有する照明回路１０を示している。ランプ１１の端子Ａは、インダクタンス１２の第１端子に接続されている。インダクタンス１２の第２端子とランプ１１の端子Ｃとは、５０Ｈｚ又は６０Ｈｚのメイン交流電圧のような、メイン電圧に接続されている。ランプ１１の端子Ｂ及びＤは、以下で更に詳細に説明される調光制御回路１３に接続されている。照明回路１０は、誘導特性を有している。
【００２４】
図２は、４つの端子Ｅ、Ｆ、Ｇ及びＨを持つ発光性ランプ１１を有する照明回路２０を示している。ランプ２１の端子Ｅは、インダクタンス２２及びキャパシタンス２３の直列接続の第１端子に接続されている。インダクタンス２２及びキャパシタンス２３の直列接続の第２端子と、ランプ２１の端子Ｇとは、５０Ｈｚ又は６０Ｈｚのメイン交流電圧のような、メイン電圧に接続されている。ランプ２１の端子Ｆ及びＨは、以下で更に詳細に説明される調光制御回路２４に接続されている。照明回路２０は、容量性の特性を有している。
【００２５】
キャパシタンス２３は別として、図１及び２に示されている照明回路１０及び２０は、それぞれ、全体的にあるいは部分的に同一のものであっても良い。
【００２６】
図３は、送信／受信モジュール３１、処理モジュール３２及びＩＲ（赤外線）存在検出モジュール３３を有する遠隔制御回路３０を示している。更に、２つのスイッチ３４及び３５が含まれている。
【００２７】
送信／受信モジュール３１は、外部装置又はシステムから又はこれらへのＲＦ（無線周波数）信号の送信及び／又は受信のためのアンテナ３６を有している。例として、送信／受信モジュール３１は、制御信号を、図１及び２に示されているような調光制御回路１３又は２４に送信しても良い。このような制御信号は、調光制御回路１３又は２４に、それぞれ、ランプ１１又は２１の点火、ランプ１１又は２１の調光、又はランプ１１又は２１のオフへの切換えのような、特定の動作をとるように命令することができる。送信／受信モジュール３１は、例えば、建築照明管理システムの場合において、中央又はローカルの照明制御システム（図示略）から制御信号を更に受け取っても良い。このような受け取られた制御信号は、遠隔制御回路３０が、上述で示された送信された前記制御信号のような、送信のための特定の制御信号を生成するように命令しても良い。
【００２８】
存在検出モジュール３３は、例えば、近くの生物の存在によって発される赤外線を検出する。
【００２９】
処理モジュール３２は、送信／受信モジュール３１及び存在検出モジュール３３によって自身に入力される制御信号及び他の信号と、スイッチ３４及び３５の開閉によって生成される信号とを処理する。処理モジュール３２は、送信／受信モジュール３１に電力を供給しても良い。処理モジュール３２は、更に、受け取られた信号に基づいて、又は遠隔制御回路３０のメモリ内にプログラムされている命令に基づいて、アンテナ３６を介して送信されるべきであると共に、例えば、調光制御回路１３又は２４、又は建築照明管理システム（図示略）による受信を予定されている送信／受信モジュール３１への制御信号を生成する及び出力する。
【００３０】
例として、スイッチ３４を閉じると、処理モジュール３２が、調光制御回路１３又は２４に、それぞれ、ランプ１１又は２１をオンにするように動作するように命令するために送信される送信／受信モジュール３１によって送信されるべき制御信号を生成するように命令することができる。所定の期間（例えば、１秒間）よりも長い期間においてスイッチ３４を閉じると、制御回路１３又は２４に対する、それぞれ、ランプ１１又は２１の調光を減少させるように動作するようにという命令を生じることができる。スイッチ３５を閉じると、それぞれ、ランプ１１又は２１をオフにするように動作するように調光制御回路１３又は２４に命令するために送信されるべき送信／受信モジュール３１によって送信されるべき制御信号を生成するように、処理モジュール３２に命令することができる。所定の期間（例えば、１秒間）よりも長い期間においてスイッチ３５を閉じると、調光制御回路１３又は２４に対する、それぞれ、ランプ１１又は２１の調光を増大させるように動作するようにという命令を生じることができる。
【００３１】
図４は、端子４１及び４２、整流回路４３、スイッチ４４、ダイオード４５、ツェナーダイオード４６、放射感受性ダイオード４７、抵抗４８、アンテナ４９、及び制御プロセッサ５０を有する調光制御回路４０を示している。異なる構成要素４３乃至５０は、制御モジュールを形成するように、筐体５１内に入れられても良い。
【００３２】
端子４１及び４２は、この外部において筐体５１から延在している唯一の要素であり得て、整流回路４３の入力端子Ｋ、Ｌに接続されており、整流回路４３は、例えば、フルブリッジ又はハーフブリッジの整流回路として実施化されることができる。整流回路４３の出力端子Ｍ及びＮは、スイッチ４４に接続されており、開又は閉回路の何れかを提供することができる。スイッチ４４は、制御端子Ｐを持つ切換可能な半導体要素であっても良く、スイッチング制御信号が、スイッチ４４の開閉状況を決定するために入力されることができる。直列接続されているダイオード４５、抵抗４８及びツェナーダイオード４６は、端子Ｍ及びＮ間に接続されている。制御プロセッサ５０は、抵抗４８と、端子Ｎに更に接続されているツェナーダイオード４６との間のノードから給電されている。放射感受性ダイオード４７及びアンテナ４９は、制御プロセッサ５０に入力信号を供給するために制御プロセッサ５０に接続されている。制御プロセッサ５０は、プロセッサ又はコンピュータシステム、少なくとも１つのソフトウェアアプリケーション、及びプログラム命令及びデータを記憶するための少なくとも１つのメモリを有している。
【００３３】
図３に関して既に上述で説明されたような、制御信号は、例えば、遠隔制御回路３０、又は建築照明管理システムの一部である回路のような他の回路によって送信されることができる。このような制御信号は、制御プロセッサ５０によって処理されるように、制御回路４０のアンテナ４９によって受け取られても良い。代替的に又は更に、制御信号は、制御プロセッサ５０によって処理される放射線感受性ダイオード４７によって受け取られても良い。アンテナ４９によって又は放射線感受性ダイオード４７によって受け取られる前記制御信号は、前記制御プロセッサに、受け取られた前記制御信号によって決定されているように又は制御プロセッサ５０内に記憶されている一組のデータに基づいて、スイッチ４４を開閉するために、自身の端子Ｐにおけるスイッチ４４にスイッチング制御信号を供給するように命令することができる。
【００３４】
図５は、２ｍｓ／ｄｉｖ（即ち５０Ｈｚのメイン供給電圧）の水平方向の時間スケールによって、本発明の調光制御方法の実施例におけるガス放電ランプを流れる交流Iと、ガス放電ランプの両端における（整流された）対応する電圧Ｕとを示している。電流Iのグラフにおいて分かるように、（図４のスイッチ４４のような）前記ガス放電ランプと並列のスイッチは、前記メイン供給電圧の半周期において、５回、閉じている。前記第１の閉期間の後、各連続的な期間は、より長い継続期間を有する。前記第１の閉期間は、前記メイン電圧供給のゼロ交差後の遅延期間後に、到来している。図５の左側で、電圧Ｕのグラフにおいて、第１の再点火電圧のピークが、認識されることができる。この第１の再点火のピーク後の約５ｍｓ後、前記スイッチは第１の閉期間において、閉じており、前記ガス放電ランプの両端の電圧は、ゼロになる。前記第１の閉期間の後、前記スイッチは、再び開き、この後、閉じ、電圧Ｕの同じ半周期内で、再び４回、開く。前記スイッチの閉期間の始まり時点間の期間は、実質的に同じであるのに対し、前記閉期間は、増大している。前記スイッチの前記閉期間の始まり時点間の期間も変化し得る点に留意されたい。各閉期間の終わりにおける再点火電圧のピークが、図５の左側の第１の再点火電圧のピークよりも低く、低いＥＭＩを生成することに更に留意されたい。
【００３５】
図６は、２ｍｓ／ｄｉｖ（即ち５０Ｈｚのメイン供給電圧）の水平の時間スケールによって、本発明の調光制御方法の実施例における、ガス放電ランプに並列に接続されている、図４におけるスイッチ４４のような、制御可能スイッチを流れる電流ＩＳと、前記ガス放電ランプの両端における（整流された）対応する電圧Ｕとを示している。図６は、（図４の自身の端子Ｐにおけるスイッチ４４への制御プロセッサ５０によって供給される調光制御信号のような）前記スイッチが閉じられている場合に、論理値ｈｉｇｈを有する（これにより前記ガス放電ランプを短絡させる）と共に、前記スイッチが開いている場合に、論理値ｌｏｗを有する調光制御信号ＵＣを更に示している。電流Iのグラフから分かるように、（図４のスイッチ４４のような）前記ガス放電ランプと並列のスイッチは、前記メイン供給電圧の半周期において、６回、閉じている。前記第１の閉期間の後、各連続的な期間は、より長い継続期間を有している。前記第１の閉期間は、前記メイン電圧供給のゼロ交差後の遅延期間後に、到来する。図６の左側で、電圧Ｕのグラフにおいて、第１の再点火電圧のピークに達すること（ここでは、左側から２番目のピーク）が認識されることができる。この第１の再点火のピーク後の約４．３ｍｓ後、前記スイッチは、第１の閉期間において閉じ、前記放電ガスランプの両端における電圧は、ゼロになる。前記第１の閉期間の後、前記スイッチは、再び開き、この後、電圧Ｕの同じ半周期内で、再び、５回、閉じる及び開く。前記スイッチの前記閉期間の始まり時点間の期間は、実質的に同じであるのに対し、前記閉期間は増大している。前記スイッチの前記閉期間の始まり時の間の期間も変化し得ることに留意されたい。（破線によっておおよそ示されている）各閉期間の終わりにおける前記再点火電圧のピークは、図５の左側における第１の再点火電圧のピークよりも低く、小さいＥＭＩを生成することに更に留意されたい。
【００３６】
本発明は、自身の好適な実施例において記載されている及び説明されているが、この出発は、本発明の範囲内でなされることができ、本願明細書に開示されている詳細に限定されるものではないことを理解されたい。
【００３７】
本明細書において使用されている単数形は、１つ以上のものとして規定されている。本明細書において使用されている複数形は、２つ以上のものとして規定されている。本明細書において使用されている「他の」なる語は、少なくとも２つ目の又はそれ以上のものとして規定されている。本明細書において使用されている「含む」及び／又は「有する」なる語は、「有する」（即ち開放的な語（open language））として規定されている。本明細書で使用されている「プログラム」及び「ソフトウェアアプリケーション」等の語は、コンピュータシステム上の実行のために設計された一連の命令として規定されている。プログラム、コンピュータプログラム又はソフトウェアアプリケーションは、サブルーチン、関数、手順、オブジェクト方法、オブジェクトインプリメンテーション、実行可能なアプリケーション、アプレット、サーブレット、ソースコード、オブジェクトコード、共有されているライブラリ／動的なロードライブラリ、及び／又はコンピュータシステム上の実行のために設計されている命令の他の系列を含むことができる。
【図１】
0005427184.tif 000002
【図２】
0005427184.tif 000003
【図３】
0005427184.tif 000004
【図４】
0005427184.tif 000005
【図５】
0005427184.tif 000006
【図６】
0005427184.tif 000007